(57)【要約】【課題】精算場所の施設が大規模なものになることなく、無線タグを利用して客買上商品の商品情報を決済装置に入力できるようにする。【解決手段】商品収容体１は、収容体本体１１に設けられ、この収容体本体１１内にある商品に付されその商品固有の商品識別コード等の商品情報を記憶した無線タグから無線で応答された商品情報を取得する無線タグリーダ１２と、この無線タグリーダにより無線タグから取得した商品情報の商品識別コードに基づいて収容体本体内にある各商品の商品情報を記憶するメモリとを設ける。決済装置４は、商品収容体１のメモリに記憶された各商品の商品情報を収集し、この商品情報に基づいて１顧客分の買上商品を決済処理する。【選択図】    図６
2004265111.tif 000002
【特許請求の範囲】
【請求項１】
顧客が購入する複数の商品を収容可能な収容体本体と、
この収容体本体に設けられ、この収容体本体内にある商品に付されその商品固有の商品識別コード等の商品情報を記憶した無線タグから無線で応答された前記商品情報を取得する無線タグリーダと、
この無線タグリーダにより前記無線タグから取得した前記商品情報の前記商品識別コードに基づいて前記収容体本体内にある各商品の商品情報を記憶する商品情報記憶手段と、
を具備したことを特徴とする商品収容体。
【請求項２】
前記商品情報記憶手段により記憶した各商品の商品情報を出力する商品情報出力手段をさらに具備したことを特徴とする請求項１記載の商品収容体。
【請求項３】
前記商品情報記憶手段により記憶する前記収容体本体内にある各商品の商品情報を定期的に書換えることを特徴とする請求項１または２記載の商品収容体。
【請求項４】
顧客が購入する複数の商品を収容可能な収容体本体と、
この収容体本体に設けられ、この収容体本体内にある商品に付されその商品固有の商品識別コード等の商品情報を記憶した無線タグから無線で応答された前記商品情報を取得する無線タグリーダと、
この無線タグリーダにより前記無線タグから取得した商品情報の商品識別コードに基づいて前記収容体本体内にある各商品の商品情報を記憶する商品情報記憶手段と、
前記無線タグリーダにより前記収容体本体内にある商品に付された無線タグから商品情報を取得するのに充分な時間が経過する毎に前記商品情報記憶手段により記憶した商品情報の収集要求有無を判断する判断手段と、
この判断手段により収集要求有りが判断されると前記商品情報記憶手段により記憶した商品情報を収集要求元へ出力する商品情報出力手段と、
前記判断手段により収集要求無しが判断されると前記商品情報記憶手段により記憶した各商品の商品情報をクリアする情報クリア手段と、
を具備したことを特徴とする商品収容体。
【請求項５】
前記商品情報出力手段は、赤外線通信を利用して商品情報を通信相手に送信出力する手段であることを特徴とする請求項２または４記載の商品収容体。
【請求項６】
請求項２または４に記載の商品収容体と、
この商品収容体の商品情報出力手段によって出力される各商品の商品情報に基づいて１顧客分の買上商品を決済処理する決済装置とからなることを特徴とする商品決済システム。
【請求項７】
決済装置は、１顧客分の買上商品の決済処理を完了する毎に前記商品収容体内にある商品に付された無線タグを無効化する手段を備えたことを特徴とする請求項６記載の商品決済システム。
【発明の詳細な説明】
【０００１】
【発明の属する技術分野】
本発明は、スーパーマーケット等の量販店において顧客が買上げる商品を精算場所（レジ）まで運ぶために使用する買い物籠，ショッピングカート等の商品収容体及びこの収容体を使用した商品決済システムに関する。
【０００２】
【従来の技術】
一般に、スーパーマーケット等の量販店では、顧客用に買い物籠やショッピングカート（以下、総称して商品収容体とする）が備え付けてある。来店した顧客は、買い物籠を持つかショッピングカードを押しながら店内を回り、購入する商品を商品収容体にまとめて入れたならば精算場所まで運ぶ。精算場所には、ＰＯＳ（Ｐｏｉｎｔ  Ｏｆ  Ｓａｌｅｓ：販売時点情報管理）端末と称される決済装置が設置されており、キャッシャと称される店員が商品収容体に入れられた商品を１つずつ取り出して決済装置に入力する。そして、商品収容体内に収容された全ての商品の入力を終えると、決済装置の表示部に表示されている合計金額に基づいて代金を精算し、レシートを手渡すようになっている。
【０００３】
しかし、このように店員が商品収容体から商品を１つずつ取り出して決済装置に入力するものでは入力作業に時間がかかり、また、店員の疲労度も大きくなるという問題があった。
【０００４】
そこでこのような問題を解決するために、各商品にそれぞれその商品固有の商品識別コード等を記憶した無線タグを取り付ける一方、精算場所に無線タグリーダを設ける。無線タグは、メモリ，同調回路，送信回路等を内蔵し、外部からの無線電磁波に同調してメモリのデータ（商品識別コード等）を無線送信するものである。無線タグリーダは、無線タグが同調する無線電磁波を発信してメモリデータの問合せを行ない、当該無線タグから送信される無線電磁波によりメモリデータを取得するものである。無線タグリーダは、商品収容体の全方位にアンテナが配置されるように、商品収容体が通過し得るトンネル状のものが好ましい。
【０００５】
このような無線タグと無線タグリーダとを用いることにより、精算場所では、商品収容体に収容された１顧客分の商品にそれぞれ付された無線タグのメモリに記憶された商品識別コード等を、商品を収容体から取り出すことなく無線タグリーダによってまとめて取得し、決済装置に入力できる。したがって、入力作業時間を短縮できる上、精算場所の店員の負担も軽減できるという効果を奏する（例えば、特許文献１参照）。
【０００６】
ところで、このような商品決済システムに用いられる無選タグは、万引き防止システムにも適用可能である。すなわち、無線タグが同調する無線電磁波を発信し、かつこの電磁波に同調して無線タグから発信される無線電磁波を受信するアンテナを店舗の出口近傍に設けるとともに、このアンテナで受信した無線タグのメモリデータから商品情報を検出したことに応じて警報を発する警報装置を設ける。そして精算場所では、決済装置に入力された商品に付された無線タグのメモリに記憶されている商品情報を商品情報以外のものに書換える。こうすることにより、未会計の商品を持って店舗から出ようとすると、その商品に付された無線タグからメモリデータつまり商品情報が検出されるので警報が発せられ、万引きを防止できる（例えば、特許文献２参照）。
【０００７】
【特許文献１】
特開平１０−０４９７５６号公報
【０００８】
【特許文献２】
特開２０００−０３０１５０
【０００９】
【発明が解決しようとする課題】
しかしながら、無線タグと無線タグリーダとを用いた従来の商品決済システムにおいては、無線タグリーダは、商品収容体の全方位にアンテナが配置されるように、商品収容体が通過し得るトンネル状として精算場所に設ける必要があったので、精算場所の施設が大規模になるという問題があった。また、無線タグリーダをトンネル状とした場合、精算場所の店員は、商品収容体をトンネル内に通すという作業が要求され、重労働であった。仮に、チェックアウトカウンタにベルトコンベアを設けて、自動的に商品収容体をトンネル内に通すようにすることも可能であるが、この場合には、精算場所の施設がさらに大規模なものにならざるを得なかった。
【００１０】
本発明はこのような事情に基づいてなされたもので、その目的とするところは、精算場所の施設が大規模なものになることなく、無線タグを利用して客買上商品の商品情報を決済装置に入力できる商品決済システム及びこのシステムに使用される商品収容体を提供しようとするものである。
【００１１】
【課題を解決するための手段】
本発明の商品収容体は、顧客が購入する複数の商品を収容可能な収容体本体と、この収容体本体に設けられた無線タグリーダと、商品情報記憶手段とを有する。無線タグリーダは、収容体本体内にある商品に付されその商品固有の商品識別コード等の商品情報を記憶した無線タグから無線で応答された商品情報を取得するものである。商品情報記憶手段は、無線タグリーダにより無線タグから取得した商品情報の商品識別コードに基づいて収容体本体内にある各商品の商品情報を記憶するものである。
【００１２】
本発明の商品決済システムは、顧客が購入する複数の商品を収容可能な収容体本体と、この収容体本体に設けられ、この収容体本体内にある商品に付されその商品固有の商品識別コード等の商品情報を記憶した無線タグから無線で応答された商品情報を取得する無線タグリーダと、この無線タグリーダにより無線タグから取得した商品情報に基づいて収容体本体内にある各商品の商品情報を記憶する商品情報記憶手段と、商品情報記憶手段により記憶した各商品の商品情報を出力する商品情報出力手段とを備えた商品収容体と、この商品収容体の商品情報出力手段によって出力される各商品の商品情報に基づいて１顧客分の買上商品を決済処理する決済装置とからなる。
【００１３】
【発明の実施の形態】
以下、本発明の実施の形態を図面を用いて説明する。
図１は、本発明の商品収納体の一実施の形態である買い物籠１を示している。この買い物籠１は、複数の商品Ａ，Ｂ，Ｃ，……を収容可能な収容体本体としての籠本体１１と、この籠本体１１に取り付けられた無線タグリーダ１２とから構成されている。無線タグリーダ１２は、籠本体１１内にある商品に付された無線タグ２に対して無線電磁波による問合せを行ない、当該無線タグから無線電磁波で応答された情報を取得するものである。
【００１４】
無線タグ２は、図２に示すように、例えば短冊状のタグ本体２１にアンテナ２２と、回路パターン２３と、電池２４とを内蔵したもので、上記回路パターン２３には、アンテナ２２で受信した無線電磁波を解析する受信回路２３１と、送信情報を無線電磁波に変換してアンテナ２２より発信させる送信回路２３２と、所定周波数の受信電磁波に同調する同調回路２３３と、データ書換可能なメモリ２３４と、受信回路２３１，送信回路２３２，同調回路２３３及びメモリ２３４を制御するＣＰＵ（Ｃｅｎｔｒａｌ  Ｐｒｏｃｅｓｓｉｎｇ  Ｕｎｉｔ）２３５が設けられている。メモリ２３４には、無線タグ２を識別するために無線タグ２毎に予め異なる値が設定されたタグＩＤと、当該無線タグ２が貼り付けられる商品の商品コード，価格等の商品情報が記憶されている。タグＩＤは、その無線タグ２が付された商品を識別するための商品固有の商品識別コードとして機能する。
【００１５】
無線タグリーダ１２は、籠本体１１の開口縁部全周にわたって取り付けられた口状のタグ用アンテナ１２１と、このタグ用アンテナ１２１のコントローラ１２２とからなる。タグ用アンテナ１２１は、籠本体１１内にある商品Ｂ，Ｃにそれぞれ付された無線タグ２に対して同調周波数の無線電磁波が発信されるように指向性が設定されている。したがって無線タグリーダ１２は、籠本体１１内にある商品Ｂ，Ｃにそれぞれ付された各無線タグ２のメモリ２３４にそれぞれ記憶されているタグＩＤと商品情報とを読取ることが可能である。
【００１６】
コントローラ１２２は、図３に示すように、制御部本体としてタイマ３１１を内蔵したマイクロプロセッサ３１を設けている。そして、このマイクロプロセッサ３１により、アンテナ回路３２、表示部３３、赤外線通信ポート３４及びメモリ３５をそれぞれ制御するものとなっている。またコントローラ１２２は、駆動源として電池３６を搭載している。
【００１７】
アンテナ回路３２は、アンテナ１２１から所定周波数の無線電磁波を発信させるとともに、このアンテナ１２１で受信した無線電磁波から無線タグ２のメモリ情報を取り込むものである。
【００１８】
表示部３３及び赤外線通信ポート３４は、コントローラ１２２の筐体正面側にそれぞれ設けられており、表示部３３には、籠本体１２１内に収容された各商品の価格合計等が表示される。赤外線通信ポート３４は、後述するＰＯＳ端末とのデータ通信に供される。
【００１９】
メモリ３５はＲＡＭ（Ｒａｎｄｏｍ  Ａｃｃｅｓｓ  Ｍｅｍｏｒｙ）であり、主要なメモリエリアとして、図４に示すように、籠本体１１内に収容された各商品に付された無線タグ２から読取ったタグコード，商品コード及び商品価格の各情報を蓄積記憶する商品情報記憶手段としての買上商品データメモリ３５１と、上記買上商品データメモリ３５１に記憶された商品価格の合計金額を記憶する金額合計器３５２とを形成している。
【００２０】
図５は、無線タグリーダ１２におけるコントローラ１２２のマイクロプロセッサ３１が実行する主要な処理手順を示す流れ図である。すなわちマイクロプロセッサ３１は、先ず、初期処理としてメモリ３５の買上商品データメモリ３５１と金額合計器３５２とをクリアする（ＳＴ１）。次に、予め設定された時間（ここでは１０秒とする）を計時する毎にタイムアウトするタイマ３１１をスタートさせ（ＳＴ２）、このタイマ３１１がタイムアウトするまでの間、無線タグ２からの応答を待つ（ＳＴ３，ＳＴ４）。
【００２１】
そして、アンテナ回路３２を介して無線タグ２から応答があったメモリ情報、つまりタグＩＤと商品情報を取り込む毎に、マイクロプロセッサ３１は、そのメモリ情報のタグＩＤと重複するＩＤが買上商品データメモリ３５１に格納されているか否かを判断する（ＳＴ５）。重複する場合には、取り込んだ無線タグ２のメモリ情報を破棄し、次の無線タグ２からの応答を待つ（ＳＴ３，ＳＴ４）。
【００２２】
これに対し、無線タグ２から応答があったメモリ情報のタグＩＤが買上商品データメモリ３５１に格納されていない新規のタグＩＤであった場合には、マイクロプロセッサ３１は、そのタグＩＤとともに受信した商品情報の商品コード及び商品価格を当該タグＩＤとともに買上商品データメモリ３５１に格納する（ＳＴ６）。また、上記商品価格を金額合計器３５２の値に加算する（ＳＴ７）。そして、この金額合計器３５２の最新値を表示部３３に表示させる（ＳＴ８）。しかる後、マイクロプロセッサ３１は、次の無線タグ２からの応答を待つ（ＳＴ３，ＳＴ４）。
【００２３】
一方、タイマ３１１がタイムアウトしたならば、マイクロプロセッサ３１は、赤外線通信ポート３４を介して赤外線通信による接続が確立されているか否かを判断する（ＳＴ９：判断手段）。そして、接続が確立されていない場合には、再度買上商品データメモリ３５１と金額合計器３５２とをクリアして（ＳＴ１：情報クリア手段）、タイマ３１１を再スタートさせる（ＳＴ２）。
【００２４】
これに対し、赤外線通信による接続が確立されていた場合には、マイクロプロセッサ３１は、接続相手先からのデータ収集要求に応じて、買上商品データ、すなわち買上商品データメモリ３５１に商品別に格納されているタグＩＤと商品コードと商品価格とを一括して赤外線通信により接続相手先，つまり収集要求元に送信する（ＳＴ１０：商品情報出力手段）。そして送信後、マイクロプロセッサ３１は、表示部３３にデータ送信完了を示す情報として例えば「ＥＮＤ」や「０」等を表示させる（ＳＴ１１）。
【００２５】
しかる後、マイクロプロセッサ３１は、タイマ３１１を再度スタートさせ（ＳＴ１２）、タイムアウトするまでの一定時間、無線タグ２からの応答がなくなるのを待機する（ＳＴ１３，ＳＴ１４）。そして、無線タグ２からの応答が一定時間全くないことを確認したならば、マイクロプロセッサ３１は、買上商品データメモリ３５１と金額合計器３５２とをクリアして（ＳＴ１）、タイマ３１１を再スタートさせる（ＳＴ２）。以後、同様な処理を繰返す。
【００２６】
図６は、本発明の商品決済システムの一実施形態を示す模式図である。この商品決済システムは、前記買い物籠１と、この買い物籠１の籠本体１１に取り付けられた無線タグリーダ１２のコントローラ１２２に記憶された買上商品データに基づいて１顧客分の買上商品を決済処理する決済装置としてのＰＯＳ端末４とからなる。
【００２７】
ＰＯＳ端末４には、無線タグリーダ１２のコントローラ１２２に設けられた赤外線通信ポート３４との間で赤外線通信を利用してデータを送受信するための赤外線通信アダプタ５が接続されている。
【００２８】
また、顧客が精算する商品を載せるためのテーブル６の裏面に、このテーブル６に置かれた商品に付された無線タグ２のメモリ２３４に無線電磁波を利用して所定の決済完了情報を書込むことにより当該無線タグ２を無効化する決済完了情報書込装置７が取り付けられている。
【００２９】
図７はＰＯＳ端末４の要部構成を示すブロック図である。ＰＯＳ端末４は、制御部本体としてＣＰＵ４０１を備えている。そして、このＣＰＵ４０１により、ＲＯＭ（Ｒｅａｄ  Ｏｎｌｙ  Ｍｅｍｏｒｙ）４０２、ＲＡＭ４０３、時計部４０４、ＬＡＮコントローラ４０５、第１及び第２の通信インタフェース４０６，４０７、キーボード４０８、オペレータ用ディスプレイ４０９、客用ディスプレイ４１０及びＲＪ（レシート・ジャーナル）プリンタ４１１等の各部を制御するようになっている。
【００３０】
ＬＡＮコントローラ４０５には、図示しないが、ＬＡＮ（Ｌｏｃａｌ  Ａｒｅａ  Ｎｅｔｗｏｒｋ）を介してホスト装置としてのストアコンピュータが接続されている。第１の通信インタフェース４０６には、前記決済完了情報書込装置が接続されている。第２の通信インタフェース４０７には、前記赤外線通信アダプタ５が接続されている。
【００３１】
キーボード４０８には、決済処理に必要なキー，例えば置数キー，小計キー，預／現計キー，信計キー，値引キー，割引キー，クリアキー等の他、買い物籠１の籠本体１１に取り付けられた無線タグリーダ１２のコントローラ１２２に記憶された買上商品データの読み込みを指令する顧客キーＫ１が設けられている。
【００３２】
図８は上記顧客キーＫ１が操作されたときのＣＰＵ４０１の主要な処理手順を示す流れ図である。すなわちＣＰＵ４０１は、顧客キーＫ１が操作されたことを検知するとこの処理を開始し、先ず、第２の通信インタフェース４０７を制御して、赤外線通信アダプタ５から赤外線通信により接続要求信号を送信する（ＳＴ２１）。次に、この要求信号に応答して接続相手先から赤外線通信により接続応答信号が送られてきたことを第２の通信インタフェース４０７を介して確認すると（ＳＴ２２）、ＣＰＵ４０１は、同じく赤外線通信によりデータ収集要求信号を接続相手先に送信する（ＳＴ２３）。
【００３３】
応じて、同じく赤外線通信により接続相手先からデータが送られてきたことを確認すると（ＳＴ２４）、ＣＰＵ４０１は、そのデータが無線タグリーダ１２のメモリ３５に記憶されている買上商品データであるか否かを判断する（ＳＴ２５）。ここで、買上商品データでない場合には、この処理をエラーとして終了する。
【００３４】
買上商品データであった場合には、ＣＰＵ４０１は、そのデータに基づいて買上商品の代金決済処理を実行する。すなわち、買上商品データの商品コードと商品価格をＲＡＭ４０３に処理する。また、買上商品データの商品価格を合計し、その合計金額をオペレータ用ディスプレイ４０９と客用ディスプレイ４１０に表示させる。ここで、例えばキーボード４０８の置数キーにより合計金額以上の預り金額データが置数され、続いて預／現計キーが操作されると、預り金額から合計金額を減算して釣銭額を求めてオペレータ用ディスプレイ４０９と客用ディスプレイ４１０に表示させる。また、ＲＪプリンタ４１１を動作させて、買上商品データの明細と合計金額，預り金額，釣銭額等を印字したレシートを発行するとともにジャーナルを記録する。
【００３５】
しかる後、ＣＰＵ４０１は、第１の通信インタフェース４０６を制御して、決済完了情報書込み信号を決済完了情報書込装置７を送信して、決済完了情報書込装置７からテーブル６上の商品に付された無線タグ２に対して所定の決済完了情報を書込んで当該無線タグ２を無効化したならば（ＳＴ２７：無線タグ無効化手段）、この顧客キー処理を終了するものとなっている。
【００３６】
このように構成された本実施の形態の商品決済システムを導入する量販店などにおいては、未使用の買い物籠１を店の入口に積み上げておく。また、店の出口には、万引き防止システム用のアンテナを設置しておく。なお、万引き防止システムは、各商品にそれぞれ付された無線タグ２に対して無線電磁波による問合せを行ない、当該無線タグから無線電磁波でその無線タグ２が付されている商品の商品コードが応答されると警報を発するというものである。
【００３７】
さて、未使用の買い物籠１に設けられた無線タグリーダ１２のコントローラ１２２に実装されたマイクロプロセッサ３１は、図５のＳＴ１，ＳＴ２，ＳＴ３，ＳＴ４，ＳＴ９，ＳＴ１の処理を繰返している。
【００３８】
来店した顧客は、入口にて買い物籠１を取り、手に持って店内を回る。そして、購入したい商品を籠本体１１の中に全て入れたならば、ＰＯＳ端末４が設置されている精算場所まで行く。
【００３９】
ここで、商品が入れられた買い物籠１においては、一定時間（ここでは１０秒）の間に無線タグリーダ１２によって籠本体１１内にある全ての商品にそれぞれ付された無線タグ２のメモリ２３４に記憶されたタグＩＤと商品コードと商品価格の情報が読取られ、コントローラ１２２内の買上商品データメモリ３５１に格納される。また、商品価格の合計金額が金額合計器３５２によって算出され、表示部３３に表示される。
【００４０】
そして、一定時間が経過する毎に買上商品データメモリ３５１及び金額合計器３５２が一旦クリアされ、再度、籠本体１１内にある全ての商品に付された無線タグ２のメモリ情報が読取られて買上商品データメモリ３５１に格納され、表示部３３に合計金額が表示される。この処理が、精算場所に行くまで繰返される。
【００４１】
したがって、例えば一度購入しようとして籠本体１１内に入れた商品を精算前に戻した場合には、当該商品に付された無線タグ２のメモリ情報は買上商品データメモリ３５１から自動的に削除されるので、買上商品データメモリ３５１には、籠本体１１内に実際にある商品のみの商品コードと商品価格がその商品に付された無線タグ２のタグＩＤとともに格納される。
【００４２】
精算場所では、ＰＯＳ端末４を操作する店員いわゆるキャッシャは、客の買上商品が入った買い物籠１をテーブル６の決済完了情報書込装置７の上方近辺に置いたならば、その買い物籠１に設けられたコントローラ１２２の赤外線通信ポート３４に赤外線通信アダプタ５を近づけて顧客キーＫ１を操作する。すると、コントローラ１２２内の買上商品データメモリ３５１に記憶されているデータ、つまりは籠本体１１内にある買上商品の商品コード及び商品価格等が赤外線通信によりＰＯＳ端末４に入力され、ＰＯＳ端末４においてその買上商品の代金決済処理が実行される。そして決済完了後、決済完了情報書込装置７が作動して、各買上商品にそれぞれ付された無線タグ２が無効化される。これにより、決済を終えた客が買上商品を持って店を出ても、万引き防止システムから警報が発せられることはない。
【００４３】
また、決済を終えた客が籠本体１１から買上商品を取り出すことにより、無線タグ２からの応答がなくなるで、当該買い物籠１に設けられた無線タグリーダ１２のコントローラ１２２は初期化される。
【００４４】
このように本実施の形態によれば、買い物籠１の籠本体１１に無線タグリーダ１２を設け、この無線タグリーダ１２によって籠本体１１内にある商品に付された無線タグ２から商品情報を取得し、買上商品データメモリ３５１に記憶するようにしたので、精算場所では、この買上商品データメモリ３５１に記憶されている商品情報を赤外線通信を利用することでＰＯＳ端末４にまとめて入力することができ、客の買上商品を短時間で簡単に決済処理することができる。したがって、精算場所に籠本体１１が通過可能なトンネル状のアンテナ部を有する大型の無線タグリーダ１２を設ける必要がなくなる。また、籠本体１１をトンネル内に通す作業もなくなるので、作業者の負担も軽減される。
【００４５】
なお、本発明の商品収容体は買い物籠１に限定されるものではなく、顧客が手で押して移動させるショッピングカード等にも同様に適用できるものである。また、前記実施の形態では、籠本体１１の開口縁部全周にわたって口状のタグ用アンテナ１２１を取り付けたが、アンテナの形状や取り付け位置はこれに限定されるものではない。また、２本以上のアンテナを用いて収容体本体内にある商品の無線タグ２からメモリ情報を取得するようにしてもよい。
【００４６】
また、前記一実施の形態では、無線タグリーダ１２のコントローラ１２２とＰＯＳ端末との間のデータ通信媒体を赤外線通信としたが、その他の近距離無線通信媒体や有線通信媒体を使用することも可能である。また、コントローラ１２２とＰＯＳ端末４にそれぞれメモリカードインタフェースを設け、コントローラ１２２においてはメモリカード媒体に買上商品データを書込み、ＰＯＳ端末４においてはメモリカード媒体から買上商品データを読込むことによって、コントローラ１２２から買上商品データをＰＯＳ端末４に出力するようにしてもよい。また、買上商品データは、少なくともタグＩＤ，つまり商品識別コードさえあればＰＯＳ端末４側でその商品識別コードに対応して商品情報を記憶しておくことにより決済処理が可能である。したがって、無線タグ２のメモリに記憶される商品情報も商品識別コードだけであってもよい。
【００４７】
また、精算場所においては、買い物籠１に設けられたコントローラ１３からその籠に入れられた各商品の買上商品データを決済装置に送り込むことによって決済できるので、プリペイド決済やクレジット決済などが可能な無人決済端末を決済装置として用いることで、精算場所の無人化を図ることも可能である。
【００４８】
【発明の効果】
以上詳述したように本発明によれば、精算場所の施設が大規模なものになることなく、無線タグを利用して客買上商品の商品情報を決済装置に入力できる商品決済システム及びこのシステムに使用される商品収容体を提供できる。
【図面の簡単な説明】
【図１】本発明の商品収容体の一実施形態である買い物籠を示す模式図。
【図２】無線タグの内部構成を示すブロック図。
【図３】無線タグリーダの要部構成を示すブロック図。
【図４】買上商品データメモリのデータ構造を示す模式図。
【図５】無線タグリーダのコントローラが有するマイクロプロセッサの主要な処理手順を示す流れ図。
【図６】本発明の商品決済システムの一実施形態である買い物籠とＰＯＳ端末とを示す模式図。
【図７】ＰＯＳ端末の要部構成を示す流れ図。
【図８】ＰＯＳ端末のＣＰＵが実行する顧客キー処理の要部を示す流れ図。
【符号の説明】
１…買い物籠、２…無線タグ、４…ＰＯＳ端末、５…赤外線通信アダプタ、７…決済完了情報書込装置、１１…籠本体、１２…無線タグリーダ、３４…赤外線通信ポート、１２１…タグ用アンテナ、１２２…コントローラ、３５１…買上商品メモリ。
【図１】
2004265111.tif 000003
【図２】
2004265111.tif 000004
【図３】
2004265111.tif 000005
【図４】
2004265111.tif 000006
【図５】
2004265111.tif 000007
【図６】
2004265111.tif 000008
【図７】
2004265111.tif 000009
【図８】
2004265111.tif 000010